(57)【要約】【課題】停電を発生させることなく蓄電池を有する電力系統と、別の電力系統とを連系あるいは切り離し可能な電力系統監視制御装置およびそれを備える電力系統連系システムを提供するものである。【解決手段】実施形態の電力系統監視制御装置は、第１の電力系統と第２の電力系統とを電気的に連系している第１の遮断器を遮断する第１の遮断信号を出力する第１の遮断信号出力部と、ＡＣＲモードで運転する蓄電池と第１の電力系統とに連系されるパワーコンディショニングシステムに、蓄電池の運転モードを切り替える切替信号を出力する切替信号出力部と、パワーコンディショニングシステムが、蓄電池の運転モードがＡＶＲモードに切り替わった時に、第１の電力系統と、電源とを電気的に連系している第２の遮断器を遮断する第２の遮断信号を出力するように、パワーコンディショニングシステムを設定する設定信号を出力する設定信号出力部とを有する。【選択図】図１
2014183655.tif 000002
【特許請求の範囲】
【請求項１】
第１の電力系統と第２の電力系統とを電気的に連系している第１の遮断器に前記第１の遮断器を遮断する第１の遮断信号を出力する第１の遮断信号出力部と、
運転モードを前記第１の電力系統および前記第２の電力系統の外側に配置される電源が維持する周波数に追従するＡＣＲモードで運転する蓄電池と、前記第１の電力系統とに連系され、直流交流の変換を行うパワーコンディショニングシステムに、前記蓄電池の前記運転モードを前記ＡＣＲモードから前記第１の電力系統の周波数を所定の値に維持するＡＶＲモードに切り替える切替信号を出力する切替信号出力部と、
前記パワーコンディショニングシステムが、前記蓄電池の前記運転モードが前記ＡＶＲモードに切り替わった時に、前記第１の電力系統と、前記電源とを電気的に連系している第２の遮断器を遮断する第２の遮断信号を前記第２の遮断器に出力するように、前記パワーコンディショニングシステムを設定する設定信号を前記パワーコンディショニングシステムに出力する設定信号出力部と
を有する電力系統監視制御装置。
【請求項２】
直流交流の変換を行うパワーコンディショニングシステムを介して第１の電力系統と連系され、運転モードを前記第１の電力系統の周波数を所定の値に維持するＡＶＲモードで運転する蓄電池の周波数の位相と、前記第１の電力系統および第２の電力系統の外側に配置される電源との周波数の位相とが一致した時に、前記第１の電力系統と前記電源とを電気的に切り離している第２の遮断器を投入させる第２の投入信号を前記第２の遮断器に出力する第２の投入信号出力部と、
前記パワーコンディショニングシステムに、前記パワーコンディショニングシステムを前記第１の電力系統から解列させる解列信号を出力する解列信号出力部と、
前記パワーコンディショニングシステムに前記蓄電池の前記運転モードを前記ＡＶＲモードから前記電源が維持する周波数に追従するＡＣＲモードに切り替える切替信号を出力する切替信号出力部と、
前記パワーコンディショニングシステムに、前記蓄電池の前記運転モードが前記ＡＣＲモードに切り替わった後に前記パワーコンディショニングシステムを前記第１の電力系統に連系させる連系信号を出力する連系信号出力部と、
前記電源と前記第２の電力系統の周波数の位相が一致した時に前記電源と前記第２の電力系統とを電気的に切り離している第１の遮断器を投入する第１の投入指令を前記第１の遮断器に出力する第１の投入信号出力部と
を有する電力系統監視制御装置。
【請求項３】
運転モードを第１の電力系統および第２の電力系統の外側に配置される電源が維持する周波数に追従するＡＣＲモードで運転する蓄電池と、前記第１の電力系統とに連系され、直流交流の変換を行うパワーコンディショニングシステムと、
前記第１の電力系統と前記第２の電力系統とを電気的に連系している第１の遮断器に前記第１の遮断器を遮断する第１の遮断信号を出力する第１の遮断信号出力部と、
前記パワーコンディショニングシステムに、前記蓄電池の前記運転モードを前記ＡＣＲモードから前記第１の電力系統の周波数を所定の値に維持するＡＶＲモードに切り替える切替信号を出力する切替信号出力部と
を備える電力系統監視制御装置と
を有し、前記パワーコンディショニングシステムは、前記第１の切替信号を受信し、前記蓄電池の前記運転モードが前記ＡＶＲモードに切り替わった時に、前記第１の電力系統と前記電源とを電気的に連系している第２の遮断器を遮断する第２の遮断信号を前記第２の遮断器に出力する系統連系システム。
【発明の詳細な説明】
【技術分野】
【０００１】
本発明の実施形態は、電力系統監視制御装置およびそれを備える電力系統連系システムに関する。
【背景技術】
【０００２】
蓄電池には、自身で系統内の周波数を所定の値に維持するＡＶＲ（Ａｕｔｏｍａｔｉｃ  Ｖｏｌｔａｇｅ  Ｒｅｇｕｌａｔｏｒ）モードおよび、他の発電機や蓄電池等が維持する周波数に追従するＡＣＲ（Ａｕｔｏｍａｔｉｃ  Ｃｕｒｒｅｎｔ  Ｒｅｇｕｌａｔｏｒ）モードの２つの運転モードが存在する。
【０００３】
蓄電池を有する第１の電力系統と、第１の電力系統とは異なる第２の電力系統が連系されている状態において、第２の電力系統で事故が発生した場合には、第１の電力系統と第２の電力系統を切り離し、事故から復旧した際には再び第１の電力系統と第２の電力系統を連系する必要がある。
【０００４】
第１の電力系統が第２の電力系統から切り離され、蓄電池によって系統内の周波数が所定の値に維持される場合、第１の電力系統に連系されている蓄電池のうちの１つがＡＶＲモードで運転する必要がある。
【０００５】
一方、第１の電力系統の周波数を維持する発電機等の設備が第２の電力系統に存在し、第１の電力系統が第２の系統に連系されている場合には、第１の電力系統に連系されている蓄電池はＡＣＲモードで運転する必要がある。
【０００６】
すなわち、第１の電力系統を第２の系統と連系させる際には蓄電池の運転モードをＡＶＲモードからＡＣＲモードへ切り替え、第２の電力系統から切り離す際には蓄電池の運転モードをＡＣＲモードからＡＶＲモードへ切り替える必要がある。
【０００７】
第１の電力系統を第２の電力系統から切り離す際には、蓄電池の運転モードがＡＶＲモードに切り替わった時に遮断器を遮断しなければならず、制御の遅れにより系統内にＡＶＲモードで運転する蓄電池と周波数を維持する発電機の両方が存在し、互いに周波数の位相が異なる場合には、電位差が発生し遮断器等の機器に過大な負荷が加わり機器が破損してしまう可能性もある。一方で蓄電池の運転モードがＡＶＲモードに切り替わる前に、第１の電力系統を第２の電力系統から切り離すと第１の電力系統内に周波数を維持する設備が存在しないため、第１の電力系統内で停電が発生してしまう。
【０００８】
第１の電力系統を第２の電力系統と連系させる際にも、蓄電池がＡＣＲモードに切り替わる前にＡＶＲモードのまま連系されると、上記と同様の理由により機器に過大な負荷が加わる。
【０００９】
蓄電池の運転モードを切り替えるためには、蓄電池を一旦停止させる必要があり、停止時間は蓄電池が連系されるＰＣＳ（Ｐｏｗｅｒ  Ｃｏｎｄｉｔｉｏｎｉｎｇ  Ｓｙｓｔｅｍ：パワーコンディショニングシステム）の性能にも依存するが、およそ５〜１０分要する。そのため、蓄電池がＡＣＲモードに切り替わった後に連系する場合では、運転モードを切り替える間第１の電力系統内で停電が発生してしまう。
【先行技術文献】
【特許文献】
【００１０】
【特許文献１】特開２００８−６１４１７号公報
【発明の概要】
【発明が解決しようとする課題】
【００１１】
本発明の実施形態はこれらの課題を解決するために、停電を発生させることなく蓄電池を有する電力系統と、別の電力系統とを連系あるいは切り離し可能な電力系統監視制御装置およびそれを備える電力系統連系システムを提供するものである。
【課題を解決するための手段】
【００１２】
上記課題を達成するために、実施形態の電力系統監視制御装置は、第１の電力系統と第２の電力系統とを電気的に連系している第１の遮断器に前記第１の遮断器を遮断する第１の遮断信号を出力する第１の遮断信号出力部と、運転モードを前記第１の電力系統および前記第２の電力系統の外側に配置される電源が維持する周波数に追従するＡＣＲモードで運転する蓄電池と、前記第１の電力系統とに連系され、直流交流の変換を行うパワーコンディショニングシステムに、前記蓄電池の前記運転モードを前記ＡＣＲモードから前記第１の電力系統の周波数を所定の値に維持するＡＶＲモードに切り替える切替信号を出力する切替信号出力部と、前記パワーコンディショニングシステムが、前記蓄電池の前記運転モードが前記ＡＶＲモードに切り替わった時に、前記第１の電力系統と、前記電源とを電気的に連系している第２の遮断器を遮断する第２の遮断信号を前記第２の遮断器に出力するように、前記パワーコンディショニングシステムを設定する設定信号を前記パワーコンディショニングシステムに出力する設定信号出力部とを有する。
【図面の簡単な説明】
【００１３】
【図１】本実施形態に係る電力系統連系システムの構成を示すブロック図。
【図２】本実施形態に係る電力系統連系システムにおける電力系統監視制御装置の構成を示すブロック図。
【図３】本実施形態に係る電力系統連系システムにおける電力系統監視制御装置の記憶部の構成を示すブロック図。
【図４】本実施形態に係る電力系統連系システムにおける電力系統監視制御装置の動作を示すフローチャート。
【図５】本実施形態に係る電力系統連系システムにおける電力系統監視制御装置の動作を示すフローチャート。
【発明を実施するための形態】
【００１４】
以下、実施形態について図面を用いて説明する。
【００１５】
（実施形態）
図１は本実施形態に係る電力系統連系システムの構成を示すブロック図である。
【００１６】
電力系統連系システム１は、電力系統監視制御装置２、ＰＣＳ（Ｐｏｗｅｒ  Ｃｏｎｄｉｔｉｏｎｉｎｇ  Ｓｙｓｔｅｍ：パワーコンディショニングシステム）３を有する。
【００１７】
ＰＣＳ３は、電力の直流交流の変換を行うインバータ等の変換装置、変換手段である。ＰＣＳ３は、第１の電力系統４と蓄電池５に連系され、すなわち第１の電力系統４と蓄電池５はＰＣＳ３を介して連系される。
【００１８】
蓄電池を有する第１の電力系統４と、第１の電力系統４と異なる第２の電力系統６とは第１の遮断器７が投入・遮断することによって電気的に連系・切り離しされる。
【００１９】
第１の遮断器は周波数の位相が合ったタイミングで投入する同期投入機能を有する。
【００２０】
第２の電力系統６には、例えば火力発電機や原子力発電機といった発電機８が連系されており、第２の電力系統６内の周波数は発電機８によって所定の値に維持される。ただし、発電機８は一例であり、第２の電力系統６内の周波数を所定の値に維持するものであればよい。
【００２１】
第１の遮断器７が投入され、第１の電力系統４と第２の電力系統６が連系される場合には、第１の電力系統４の蓄電池５は全てＡＣＲ（Ａｕｔｏｍａｔｉｃ  Ｃｕｒｒｅｎｔ  Ｒｅｇｕｌａｔｏｒ）モードで運転する。ここで、ＡＣＲモードとは他の発電機や蓄電池等が維持する周波数に追従する運転モードであり、この場合は発電機８が維持する周波数に追従する。
【００２２】
一方、第１の遮断器７が遮断され、第１の電力系統４と第２の電力系統６が切り離される場合には、第１の電力系統４の蓄電池５のうちの１つはＡＶＲ（Ａｕｔｏｍａｔｉｃ  Ｖｏｌｔａｇｅ  Ｒｅｇｕｌａｔｏｒ）モードで運転する。
【００２３】
ここで、ＡＶＲモードとは自身で系統内の周波数を所定の値に維持する運転モードであり、この場合は第１の電力系統４内の周波数を所定の値に維持する。例えば蓄電池５ａがＡＶＲモードで運転する場合、他の蓄電池はＡＣＲモードで運転し、蓄電池５ａが維持する周波数に追従する。
【００２４】
第１の電力系統４と電源１０とは第２の遮断器９が投入・遮断するによって電気的に連系・切り離しされる。第２の遮断器９は、信号が伝送されてからμ秒オーダーで遮断可能であり、具体的にはサイリスタ遮断器が好ましい。
【００２５】
電源１０は例えば、連系された電力系統内の周波数を所定の値に維持する機能を有する小型発電機である。ただし、小型発電機に限らず、連系された電力系統内の周波数を所定の値に維持する機能を有していればよい。
【００２６】
電力系統監視制御装置２とＰＣＳ３は通信線１１を介して信号の伝達が可能である。ＰＣＳ３と蓄電池５は通信線１２を介して信号の伝達が可能である。ＰＣＳ３と第２の遮断器９は通信線１３を介して信号の伝達が可能である。また、電力系統監視制御装置２と第１の遮断器７および第２の遮断器９は図示しない通信線を介して信号の伝達が可能である。
【００２７】
図２は、本実施形態に係る電力系統連系システムにおける電力系統監視制御装置の構成を示すブロック図である。
【００２８】
電力系統監視制御装置２は、図２に示すように演算処理部２１、通信ＩＦ（インターフェース）２２、記憶部２３を有する構成である。
【００２９】
演算処理部２１は、記憶部２３に格納された各プログラムを読み出し、演算処理を行うＣＰＵ（Ｃｅｎｔｒａｌ  Ｐｒｏｃｅｓｓｉｎｇ  Ｕｎｉｔ）などのプロセッサである。演算処理部２１は、機能に応じて複数備えていてもよい。また、内臓メモリを備えていてもよい。
【００３０】
通信ＩＦ２２は、通信線１１および図示しない通信線を介してＰＣＳ３、第１の遮断器７および第２の遮断器９とデータや信号の授受を行う通信装置、通信手段である。
【００３１】
記憶部２３は、ハードディスクドライブ（ＨＤＤ）などの不揮発性の記憶装置、記憶手段である。この他、不揮発性の記憶手段に限られることなくフラッシュメモリなどの半導体メモリを利用してもよいし、半導体メモリとＨＤＤとを組み合せた形態の記憶媒体であってもよい。
【００３２】
図３は、本実施形態に係る電力系統連系システムにおける電力系統監視制御装置の記憶部の構成を示すブロック図である。
【００３３】
記憶部２３には、図３に示すように、演算処理部２１での処理に利用される第１の遮断信号出力プログラム３１、切替信号出力プログラム３２、設定信号出力プログラム３３、第２の投入信号出力プログラム３４、解列信号出力プログラム３５、連系信号出力プログラム３６、第１の投入信号出力プログラム３７が格納される。
【００３４】
第１の遮断信号出力プログラム３１は、第１の遮断器７を遮断する信号（第１の遮断信号）を図示しない通信線を介して第１の遮断器７に出力する機能を演算処理部２１に実行させる第１の遮断信号出力部である。
【００３５】
切替信号出力プログラム３２は、蓄電池５の運転モードを切り替える切替信号を通信線１１を介してＰＣＳ３に出力する機能を演算処理部２１に実行させる切替信号出力部である。
【００３６】
設定信号出力プログラム３３は、設定信号を通信線１１を介してＰＣＳ３に出力する機能を演算処理部２１に実行させる設定信号出力部である。
【００３７】
ここで設定信号とは、蓄電池５の運転モードがＡＣＲモードからＡＶＲモードに切り替わった時にＰＣＳ３が第２の遮断器９を遮断する信号（第２の遮断信号）を通信線１３を介して第２の遮断器９に出力するように設定する信号である。
【００３８】
第２の投入信号出力プログラム３４は、第２の遮断器９を投入する信号（第２の投入信号）を図示しない通信線を介して第２の遮断器９に出力する機能を演算処理部２１に実行させる第２の投入信号出力部である。
【００３９】
第２の遮断器９は、第２の投入信号によりＡＶＲモードで運転する蓄電池５の周波数の位相と電源１０の周波数の位相とが一致した時に投入される。
【００４０】
解列信号出力プログラム３５は、ＰＣＳ３を第１の電力系統４から解列させる解列信号を通信線１１を介してＰＣＳ３に出力する機能を演算処理部２１に実行させる解列信号出力部である。
【００４１】
連系信号出力プログラム３６は、ＰＣＳ３を第１の電力系統４に連系させる連系信号を通信線１１を介してＰＣＳ３に出力する機能を演算処理部２１に実行させる連系信号出力部である。
【００４２】
第１の投入信号出力プログラム３７は、第１の遮断器７を投入する信号（第１の投入信号）を図示しない通信線を介して第１の遮断器７に出力する機能を演算処理部２１に実行させる第１の投入信号出力部である。
【００４３】
次に各構成要素の作用について、図４、図５を用いて説明する。図４、図５は本実施形態に係る電力系統連系システムにおける電力系統監視制御装置の動作を示すフローチャートである。
【００４４】
図４を用いて、第１の電力系統４と第２の電力系統６が連系されている状態から電力系統監視制御装置２により切り離される際の動作について説明する。
【００４５】
すなわち、初期状態では第１遮断器７が投入されており、第１の電力系統４と第２の電力系統６が連系されている。また、第２遮断器９が投入されており、第１の電力系統４と電源１０が連系されている。
【００４６】
第１の電力系統４と第２の電力系統６が連系されている場合、蓄電池５は全てＡＣＲモードで運転し、第１の電力系統４および第２の電力系統６の周波数は発電機８により所定の値に維持される。
【００４７】
第２の電力系統６で事故等が発生すると、第１の遮断信号出力プログラム３１は、第１の遮断信号を第１の遮断器７に出力する（ステップＳ１０１）。
【００４８】
第１の遮断信号により、第１の遮断器７が遮断され、第１の電力系統４と第２の電力系統６が切り離される。第１の電力系統４と第２の電力系統６が切り離されると、第１の電力系統４内の周波数は電源１０により所定の値に維持される。
【００４９】
切替信号出力プログラム３２は、蓄電池５の運転モードを切り替える切替信号をＰＣＳ３に出力する（ステップＳ１０２）。
【００５０】
切替信号がＰＣＳ３に出力されることにより、蓄電池５のうち１つの蓄電池の運転モードがＡＣＲモードからＡＶＲモードに切り替えられる。ここでは切替信号が図１におけるＰＣＳ３ａに出力され、蓄電池５ａの運転モードがＡＣＲモードからＡＶＲモードに切り替えられる場合を例にとる。
【００５１】
設定信号出力プログラム３３は、蓄電池５ａの運転モードがＡＣＲモードからＡＶＲモードに切り替わった時にＰＣＳ３が第２の遮断信号を第２の遮断器９に出力するように設定する設定信号をＰＣＳ３に出力する（ステップＳ１０３）。
【００５２】
ＰＣＳ３ａは、切替信号出力プログラム３２からの切替信号および設定信号出力プログラム３３からの設定信号を受信すると、蓄電池５ａの運転モードをＡＣＲモードからＡＶＲモードに切り替え、蓄電池５ａの運転モードがＡＶＲモードに切り替わった時に第２の遮断器９を遮断する第２の遮断信号を第２の遮断器９に出力し、第２の遮断器９が遮断される。
【００５３】
第２の遮断器９が遮断されることで第１の電力系統４と電源１０との連系が切り離されるが、蓄電池５ａの運転モードがＡＶＲモードに切り替わることで第１の電力系統４内の周波数は蓄電池５ａにより所定の値に維持される。
【００５４】
次に図５を用いて、第１の電力系統４と第２の電力系統６が切り離されている状態から電力系統監視制御装置２により連系される際の動作について説明する。
【００５５】
すなわち、初期状態では第１遮断器７が遮断されており、第１の電力系統４と第２の電力系統６が切り離されている。また、第２遮断器９が遮断されており、第１の電力系統４と電源１０が切り離されている。
【００５６】
第１の電力系統４と第２の電力系統６が切り離されており、また第１の電力系統４と電源１０が切り離されている場合、蓄電池５のうちの１つがＡＶＲモードで運転する。ここでは一例として、蓄電池５ａがＡＣＲモードで運転し、第１の電力系統４の周波数は蓄電池５ａにより所定の値に維持される場合を想定する。蓄電池５ａ以外の蓄電池はＡＣＲモードで運転する。
【００５７】
第２の投入信号出力プログラム３４は、第２の遮断器９を投入する第２の投入信号を第２の遮断器９に出力する（ステップＳ２０１）。
【００５８】
第２の遮断器９は、第２の投入信号によりＡＶＲモードで運転する蓄電池５ａの周波数の位相と電源１０の周波数の位相とが一致した時に投入される。
【００５９】
第２遮断器９が蓄電池５ａの周波数の位相と電源１０の周波数の位相とが一致した時に投入されることで、第１の電力系統４と電源１０が連系され、第１の電力系統４と電源１０の周波数は一致する。
【００６０】
解列信号出力プログラム３５は、ＰＣＳ３を第１の電力系統４から解列させる解列信号を出力する（ステップＳ２０２）。
【００６１】
ここで、解列信号はＡＶＲモードで運転する蓄電池５ａに連系されるＰＣＳ３ａに出力され、ＰＣＳ３ａが第１の電力系統４から解列される。
【００６２】
切替信号出力プログラム３２は、蓄電池５の運転モードを切り替える切替信号をＰＣＳ３に出力する（ステップＳ２０３）。
【００６３】
切替信号がＰＣＳ３ａに出力されることにより、蓄電池５ａの運転モードがＡＶＲモードからＡＣＲモードに切り替えられる。
【００６４】
蓄電池５ａの運転モードがＡＣＲモードに切り替わった後は、電源１０により電力系統１内の周波数が所定の値に維持される。
【００６５】
連系信号出力プログラム３６は、ＰＣＳ３ａを第１の電力系統４に連系させる連系信号をＰＣＳ３ａに出力する（ステップＳ２０４）。
【００６６】
連系信号により、ＰＣＳ３ａが第１の電力系統４に連系され、蓄電池５ａを含む全ての蓄電池５はＡＣＲモードで運転するため、電源１０が維持する周波数に追従する。
【００６７】
第１の投入信号出力プログラム３７は、第１の遮断器７を投入する第１の投入信号を第１の遮断器７に出力する（ステップＳ２０５）。
【００６８】
第１の遮断器７は、電源１０の周波数の位相と第２の電力系統６の周波数の位相とが一致した時に投入されることで、第１の電力系統４と第２の電力系統６が連系される。第１の電力系統４と第２の電力系統６が連系されると、第１の電力系統４および第２の電力系統６内の周波数は発電機８により所定の値に維持される。
【００６９】
以上説明したように、本実施形態に係る電力系統連系システムによれば、蓄電池５ａの運転モードがＡＶＲモードに切り替わった時に第２の遮断器９を遮断して、第１の電力系統４と電源１０との連系を切り離すことができるため、ＡＶＲモードで運転する蓄電池５ａと電源１０との周波数の位相の違いにより遮断器７，９等の機器に過大な負荷が加わることを防止することができる。第１の電力系統４と電源１０との連系が切り離された後は、蓄電池５ａにより第１の電力系統４内の周波数が所定の値に維持されるため、第１の電力系統４内で停電が発生することも防止できる。
【００７０】
また、第１の電力系統４と電源１０が連系される際には、ＡＶＲモードで運転する蓄電池５ａと電源１０との周波数の位相が一致するときに第２の遮断器９が投入される。同様に、第１の電力系統４と第２の電力系統６が連系される際には、発電機８と電源１０との周波数の位相が一致するときに第１の遮断器７が投入される。
【００７１】
そのため、周波数の位相の違いにより遮断器７，９等の機器に過大な負荷が加わることを防止することができ、発電機８、電源１０、ＡＶＲモードで運転する蓄電池５ａのいずれかにより、第１の電力系統４および第２の電力系統６の周波数が所定の値に維持されるため、停電の発生を防止することができる。
【００７２】
なお、本実施形態で述べた各種機能や処理手順は、ハードウェアにより実現されてもよい。
【００７３】
本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれる。
【符号の説明】
【００７４】
１…電力系統連系システム
２…電力系統監視制御装置
３…ＰＳＣ（Ｐｏｗｅｒ  Ｃｏｎｄｉｔｉｏｎｉｎｇ  Ｓｙｓｔｅｍ：パワーコンディショニングシステム）
４…第１の電力系統
５…蓄電池
６…第２の電力系統
７…第１の遮断器
８…発電機
９…第２の遮断器
１０…電源
１１，１２，１３…通信線
２１…演算処理部
２２…通信ＩＦ（インターフェース）
２３…記憶部
３１…第１の遮断信号出力プログラム
３２…切替信号出力プログラム
３３…設定信号出力プログラム
３４…第２の投入信号出力プログラム
３５…解列信号出力プログラム
３６…連系信号出力プログラム
３７…第１の投入信号出力プログラム
【図１】
2014183655.tif 000003
【図２】
2014183655.tif 000004
【図３】
2014183655.tif 000005
【図４】
2014183655.tif 000006
【図５】
2014183655.tif 000007